【手続補正書】
【提出日】平成18年1月24日(2006.1.24)
【手続補正１】
【補正対象書類名】明細書
【補正対象項目名】特許請求の範囲
【補正方法】変更
【補正の内容】
【特許請求の範囲】
【請求項１】  （ｉ）用具組立体とリフトアーム組立体を含み、（ii）前記用具組立体がヒンジプレートを含み、（iii）該ヒンジプレートが、これを貫通する第１のカップリングアパーチュアを有し、（iv）前記リフトアーム組立体がリフトアームとシリンダを有し、（v）該シリンダが前記リフトアームに固定されている、作業機械において、該作業機械のキャブにいるオペレータが前記用具組立体の前記リフトアーム組立体への適切な結合を確認するための方法であって、
（ｉ）第１外側支持プレートと、（ii）前記第１外側支持プレートから離れて位置する第２外側支持プレートと、（iii）前記第１外側支持プレートと前記第２外側支持プレートとの間にある第１内側支持プレートと、（iv）前記第１内側支持プレートから離れて位置し、前記第１外側支持プレートと前記第２外側支持プレートとの間にある第２内側支持プレートと、（v）前記第１及び第２内側支持プレートの間にあって、作業具ピンを受ける凹部が形成された中心ボックスセクションと、（vi）前記第１及び第２外側支持プレートの間にあってこれら第１及び第２外側支持プレートに結合された後部ボックスセクションとを有し、（ｉ）前記後部ボックスセクションが前記第１外側支持プレートから前記第２外側支持プレートまで延びる長さと、（ii）前記後部ボックスセクションの最上方縁から該後部ボックスセクションの最下方縁まで延びる幅とを有し、前記長さが前記幅より大きくされた作業具カプラ−を用意する段階と、
前記シリンダを前記後部ボックスセクション内に位置させる段階と、
（ｉ）ピンが第１のピン位置に位置する時には前記ピンが前記第１のカップリングアパーチュアから離れ、（ii）ピンが第２のピン位置に位置するときには前記ピンが前記第１のカップリングアパーチュアを通って延びるようになる、前記第１のピン位置から前記第２のピン位置にピンが動かされるように、前記シリンダを作動させる段階と、
前記ピンが前記第２のピン位置に位置させられたとき、前記オペレータが前記キャブ内の位置から前記ピンを見て、前記オペレータが前記キャブから出る必要なく前記用具組立体の前記リフトアーム組立体への適切な結合を確認できるようにする段階と、
からなる方法。
【請求項２】  前記ヒンジプレートはフック部分を有し、
前記リフトアームは支持バーを有し、
前記フック部分は前記支持バーに引っかけられて係合している、
ことを特徴とする請求項１に記載の方法。
【請求項３】  前記リフトアームはさらに支持プレートを有し、
該支持プレートは、これを貫通して形成された第２のカップリングアパーチュアを有し、
前記ピンは、さらに該ピンが前記第２のピン位置に配置されると前記第２のカップリングアパーチュアを通って延びている、
ことを特徴とする請求項２に記載の方法。
【請求項４】  前記作業機械は前記キャブ内に配置されたシートを含んでおり、
前記見る段階は、前記オペレータが前記シートに着座している間に発生することを特徴とする請求項１に記載の方法。
【請求項５】  前記見る段階は、前記ピンが前記第２のピンの位置にあるときに、前記キャブ内の前記位置から前記オペレータが前記ピンの端部を見る段階を含んでおり、
前記ピンの前記端部は、前記ピンが前記第１のピンの位置から前記第２のピンの位置に動くと、前記第１のカップリングアパーチュアを進むようになっていることを特徴とする請求項１に記載の方法。
【請求項６】  （ｉ）用具組立体とリフトアーム組立体を含み、（ii）前記用具組立体が第１のカップリングアパーチュアを有している作業機械において、該作業機械のキャブにいるオペレータが前記用具組立体の前記リフトアーム組立体への適切な結合を確認するための方法であって、
（ｉ）第１外側支持プレートと、（ii）前記第１外側支持プレートから離れて位置する第２外側支持プレートと、（iii）前記第１外側支持プレートと前記第２外側支持プレートとの間にある第１内側支持プレートと、（iv）前記第１内側支持プレートから離れて位置し、前記第１外側支持プレートと前記第２外側支持プレートとの間にある第２内側支持プレートと、（v）前記第１及び第２内側支持プレートの間にあって、作業具ピンを受ける凹部が形成された中心ボックスセクションと、（vi）前記第１及び第２外側支持プレートの間にあってこれら第１及び第２外側支持プレートに結合された後部ボックスセクションとを有し、（ｉ）前記後部ボックスセクションが前記第１外側支持プレートから前記第２外側支持プレートまで延びる長さと、（ii）前記後部ボックスセクションの最上方縁から該後部ボックスセクションの最下方縁まで延びる幅とを有し、前記長さが前記幅より大きくされた作業具カプラ−を用意する段階と、
前記シリンダを前記後部ボックスセクション内に位置させる段階と、
（ｉ）ピンが第１のピン位置に位置するとき該ピンが前記第１のカップリングアパーチュアから離れ、（ii）ピンが第２のピン位置に位置するとき該ピンが前記第１のカップリングアパーチュアを通って延びるようになる、前記第１のピン位置から前記第２のピン位置にピンが動かされるように、シリンダを作動させる段階と、
前記ピンが前記第２のピン位置に位置するとき、前記オペレータが前記キャブ内の位置から前記ピンを見て、前記オペレータが前記キャブから出る必要なく、前記用具組立体の前記リフトアーム組立体への適切な結合を確認できるようにする段階と、
からなる方法。
【請求項７】  前記用具組立体は、中に形成された第１のカップリングアパーチュアを有するヒンジプレートを含むことを特徴とする請求項６に記載の方法。
【請求項８】  前記リフトアーム組立体はリフトアームを含んでおり、
前記シリンダが前記リフトアームに固定されていることを特徴とする請求項６に記載の方法。
【請求項９】  オペレータが着座するキャブと、
用具と、これに固定されたヒンジプレートとを有し、該ヒンジプレートが該ヒンジプレートを貫通して延びる第１のカップリングアパーチュアを有する用具組立体と、
リフトアームを有するリフトアーム組立体と、
前記リフトアーム組立体と前記用具組立体との間にあってこれら組立体に結合された作業用具カプラ−と、
を備え、該作業用具カプラ−に後部ボックスセクションが固定され、該後部ボックスセクションは垂直方向の長さが水平方向の幅よりも大きく、
前記後部ボックスセクション内に用具組立体カップリングシリンダが配置され、（ｉ）該用具組立体カップリングシリンダがピンを第１のピン位置から第２のピン位置にかすように作動し、（ii）前記ピンが前記第１のピン位置に位置するとき前記ピンが前記第１のカップリングアパーチュアから離れ、（iii）前記ピンが前記第２のピン位置に位置するとき前記ピンがカップリングアパーチュアを通って延び、（iv）（A）前記ピンが前記第２のピン位置に位置するときと、（B）前記オペレータが前記キャブ内に位置するときに、前記ピンが前記オペレータの視覚領域の範囲内に位置させられるようになった、
ことを特徴とする作業機械。
【請求項１０】  （ｉ）用具組立体とリフトアーム組立体と、該用具組立体に機械的に結合されたリンケージ組立体とを含み、（ii）前記用具組立体がヒンジプレートを含み、（iii）該ヒンジプレートが、これを貫通する第１のカップリングアパーチュアを有し、（iv）前記リフトアーム組立体がリフトアームとシリンダを有し、（v）該シリンダが前記リフトアームに固定されている、作業機械において、該作業機械のキャブにいるオペレータが前記用具組立体の前記リフトアーム組立体への適切な結合を確認するための方法であって、
前記リフトアームにボックスブームを形成し、中空内部を有する前記ブームの少なくとも所定の一部を超えて延びる、ほぼ矩形状の横断面を有するブームを形成するようになっており、
所定の手段で、前記リンケージ組立体を前記ブームとともに配置し、
第１のピン位置から第２のピン位置へピンを動かすように前記シリンダを作動させ、（ｉ）前記ピンは、該ピンが前記第１のピン位置に配置されるときに前記第１結合アパーチュアから離れ、（ii）前記ピンは、該ピンが前記第２ピン位置に配置されると前記第１の結合アパーチュアを貫通するように延びるようになっており、
前記オペレータが前記キャブ内から前記ピンが前記第２ピン位置に配置されるときに前記ピンを見て、前記キャブ内から前記オペレータが前記ピンを見ることが前記リンケージ組立体によって邪魔されないようになっており、
前記リフトアームにボックスブームを形成する段階は、前記ボックスブームに、前記リフトアームの後部レバー空間と前部レバー空間との間に少なくとも約１/２の長さを超えて延びる一定の大きさの矩形形状横断面を形成する段階を備えることを特徴とする方法。
【請求項１１】  前記リンケージ組立体は、前記作業具組立体に結合された前部ティルトレバーを含んでおり、
該フロントティルトレバーを前記ブームの長手中心線にほぼ整列するように配置する段階を備えることを特徴とする請求項１０に記載の方法。
【請求項１２】  前記リンケージ組立体は、前記ブームに結合された後部ティルトレバーを含んでおり、
該後部ティルトレバーを前記ブームの長手中心線にほぼ整列するように配置する段階を備えることを特徴とする請求項１１に記載の方法。
【請求項１３】  （ｉ）前記リンケージ組立体はフロントティルトレバーを含んでおり、（ii）前記用具組立体は、第１の外側支持プレートと第２の外側支持プレートとを有する用具カップラーを含むようになっており、
前記前部ティルトレバーを前記用具カップラーに結合し、前記前部ティルトレバーが前記第１外側支持プレートと前記第２外側支持プレートとの間に配置されるようになっていることを特徴とする請求項１０に記載の方法。
【請求項１４】  （ｉ）前記リンケージ組立体は後部ティルトレバーと前部ティルトリンクとを含んでおり、（ii）前記ブームは第１の長手方向に延びる側壁と第２の長手方向に延びる側壁とを有するようになっており、
前記後部ティルトレバーと前記前部ティルトリンクとを前記ブームに結合させ、前記後部ティルトレバーと前記前部ティルトリンクが前記第１の長手方向に延びる側壁と前記第２の長手方向に延びる側壁との間に配置されるようになっていることを特徴とする請求項１０に記載の方法。